(57)【要約】【課題】  従来の画像形成装置は多機能化しているが、ＧＵＩの表示領域により、一画面で表示できるキーの数は制限されている。複写モードを呼び出したり、設定したりするまでの操作が非常に煩雑であるとともに多くの時間がかかってしまうという問題点を解決するための特許である。【解決手段】  種々の像形成モードを設定するための複数の操作キー、音声を入力する音声入力手段と、前記複数の操作キーに対し、音声認識で使用する語彙が記憶されている語彙記憶手段と前記音声入力手段により入力される音声データを音声認識し認識結果を返す音声認識手段と前記音声認識手段から受け取った認識結果をもとに前記語彙記憶手段に登録されている操作キーに該当する処理を行う制御手段と、を有することを特徴とする画像形成装置。【選択図】  図１２
2007114297.tif 000002
【特許請求の範囲】
【請求項１】
種々の像形成モードを設定するための複数の操作キー、
音声を入力する音声入力手段と、
前記複数の操作キーに対し、音声認識で使用する語彙が記憶されている語彙記憶手段と
前記音声入力手段により入力される音声データを音声認識し認識結果を返す音声認識手段と
前記音声認識手段から受け取った認識結果をもとに前記語彙記憶手段に登録されている操作キーに該当する処理を行う制御手段と、
を有することを特徴とする画像形成装置。
【請求項２】
前記複数の操作キーに対し、音声認識で使用する語彙を入力する語彙入力手段と
前記名称入力手段により登録された語彙を前記語彙記憶手段に登録する語彙登録手段と
を有する請求項１記載の画像形成装置。
【請求項３】
操作キー以外の音声コマンドを含む処理手段に対し、音声認識で使用する語彙を入力する語彙入力手段と
前記名称入力手段により登録された語彙を前記語彙記憶手段に追加登録してよいか否かを判断する語彙登録判断手段と
前記名称登録判断手段により、登録してもよいと判断された場合に語彙記憶手段に登録する制御手段
を有する請求項１、２記載の画像形成装置。
【請求項４】
前記名称入力手段により登録された語彙を前記語彙記憶手段に追加登録してよいか否かを判断する語彙登録判断手段と
前記名称登録判断手段により、登録してもよいと判断された場合に語彙記憶手段に登録する制御手段
を有する請求項２、３記載の画像形成装置。
【請求項５】
複数の操作キーまたは音声コマンドに対し、音声認識で使用する語彙のアクセントを変更することが可能なアクセント変更手段を有する請求項２、３記載の画像形成装置。
【請求項６】
ユーザごとに語彙登録を行うことが可能な語彙登録手段、
前記語彙登録手段より登録された語彙データをユーザごとに記憶する前記語彙記憶手段、
前記音声入力手段により入力された音声データに対し認証を行う声紋認証手段、
前記声紋認証手段により認証されたユーザの語彙データを語彙記憶手段より取得する語彙取得手段、
前記語彙取得手段により取得した語彙データをもとに前記音声入力手段より入力された音声データに対し音声認識を行う音声認識手段
を更に有することを特徴とする請求項２、３記載の画像形成装置。
【発明の詳細な説明】
【技術分野】
【０００１】
本発明は、音声により指示可能な画像形成装置の制御方法および記憶媒体に関するものである。
【背景技術】
【０００２】
従来の画像形成装置は、オペレータにより設定された複写モードをモードメモリ手段に記憶することができる。通常のモードメモリ手段は、オペレータが登録した番号および／または文字と設定された複写モードとを対応付けて記憶している。
【０００３】
このモードメモリ手段に記憶された複写モードを呼び出す際には、複数の記憶されている複写モードに対応付けられて記憶される番号をソフトキーとしてタッチパネル式表示部に表示し、オペレータがその番号に対応するソフトキーを押下することにより複写モードの内容を呼び出して表示部に表示していた。そしてオペレータは表示される複写モードの内容を確認し、複写等の画像処理を実行させていた。
【０００４】
従来例としては、例えば特許文献１をあげることが出来る。
【特許文献１】特開２０００−１８１２９２号公報
【発明の開示】
【発明が解決しようとする課題】
【０００５】
しかしながら、近年の画像形成装置の発展により、記憶できる複写モードの個数が数多くなってきているので、記憶できる複写モード個数分の呼出しキーをすべて標準の操作画面中に配置することができず、そのため標準画面から直接呼出しできる複写モードが制限されている。
【０００６】
よって、複写モードの呼出しキーは、標準画面に表示されず他の画面に表示される様になっているので、呼出しキーが表示される画面を表示するためには、画面を切り替えるための複数のキーを押下しなければならなかった。
【０００７】
したがって、上記従来の画像形成装置において、記憶できる複写モードの個数が多くなればなるほど、記憶される複写モードを呼び出すまでに複数のキー入力を行わなければならず、複写モードを呼び出すまでの操作が非常に煩雑であるとともに多くの時間がかかってしまうという問題点があった。
【０００８】
本発明は、上記の問題点を解決するためになされたもので、音声認識技術を使用し音声発話により複写モードの呼出しを行えるようにしたものである。
【０００９】
本発明に係る第１〜第５の発明の目的は、複数の操作キーにより設定された像形成モードをメモリ資源に複数グループ記憶し、登録モードにおいて、入力される音声を前記メモリ資源に記憶される像形成モードに対応付けて登録し、呼出モードにおいて、入力される音声を既に登録された音声と比較し、該比較結果に基づいて、入力された音声に対応付けられた像形成モードの呼出しを制御することにより、像形成モードを呼び出すために複数のキー入力を行うことなく、音声を入力するという簡単な操作で像形成モードを容易に呼出すことが可能になる。それにより、ユーザの操作負担を格段に低減させる像形成モード設定環境を提供することができる画像形成装置並びに音声により指示可能な画像形成装置の制御方法および記憶媒体を提供することである。
【課題を解決するための手段】
【００１０】
音声認識機能をもつ画像形成装置において、ユーザが機能に対して音声認識対象語彙となる名称を自由に設定可能にする。
【００１１】
認識対象語彙の登録時には、他の語彙と重複していないか、似ている語彙は使用されていないかのチェックを行い問題なければ登録を行う。
【００１２】
これにより、ユーザが複写モードを呼び出す際も表示領域を気にすることなく音声で使用することが出来るだけでなく、機能名称もよりユーザが使用しやすい名称を設定することが可能となる。
【００１３】
さらに声紋認証機能を持つ上記画像形成装置により、第1発声でユーザ認証と音声認識処理を行うことが可能となるため、ユーザの作業手順が減るだけでなく同時にユーザのカスタマイズされた画面や語彙でのユーザインターフェイスの提供が可能となる。
【発明の効果】
【００１４】
以上説明したように、本発明では、ユーザが機能に対して音声認識対象語彙となる名称を自由に設定可能にすることが可能になる。加えて、認識対象語彙の登録時には、他の語彙と重複していないか、似ている語彙は使用されていないかのチェックを行い問題なければ登録を行うためユーザが複写モードを呼び出す際も表示領域を気にすることなく音声で使用することが出来るだけでなく、機能名称もよりユーザが使用しやすい名称を設定することが可能となる。
【００１５】
さらに声紋認証機能を持つ上記画像形成装置により、第1発声でユーザ認証と音声認識処理を行うことが可能となるため、ユーザの作業手順が減るだけでなく同時にユーザのカスタマイズされた画面や語彙でのユーザインターフェイスの提供が可能となる。
【発明を実施するための最良の形態】
【００１６】
以下、図面を参照して本発明の一実施形態を説明する。
【００１７】
〔装置の構成〕
図１は、本発明の一実施形態を示す画像形成装置の一例を説明する断面構成図である。本実施形態では、画像形成装置の一例として複写装置を挙げて説明する。
【００１８】
図１において、１００は複写装置（本体）である。２００は循環式自動原稿送り装置（以下、ＲＤＦと記す）で、原稿載置台１０１に原稿を自動的に給送する。２５０はソータで、複写装置１００から排出される画像形成済みの転写紙の仕分けをする。これらＲＤＦ２００とソータ２５０は本体１００に対して自在に組み合わせて使用出来るように構成されている。２００ａは排紙トレイで、ＲＤＦ２００により原稿載置台１０１に給送された原稿を排紙するトレイである。
【００１９】
原稿載置台１０１は、ＲＤＦ２００から給送される原稿を載置する原稿台ガラスである。１０２は光学系で、原稿載置台１０１に載置される原稿画像を露光操作するものであり、原稿照明ランプ（露光ランプ）１０３、走査ミラー１４５、レンズ１４３、モータ１０４等から構成されている。
【００２０】
１０６は一次帯電器、１０７はブランク露光ユニット、１０８は電位センサ、１０９は現像器、１１０は転写帯電器、１１１は分離帯電器、１１２はクリーニング装置で、これらが感光体ドラム１０５の周囲に配設される。感光体ドラム１０５とこれら各部１０６〜１１２等により画像記録手段が構成されている。１１３はモータで、感光体ドラム１０５を図中の矢印方向に回転駆動する。
【００２１】
１１４は上段カセット、１１５は下段カセットで、転写紙が格納されるものである。１１８、１１９は給紙ローラで、ピックアップローラ１１６、１１７により上下段カセット１１４、１１５からピックアップされた転写紙を給紙ローラ１３２まで搬送する。１２４はデッキで、本体１００に装備される例えば４０００枚の転写紙を収納し得るものである。１２５はリフタで、デッキ１２４に収納される転写紙が給紙ローラ１２６に常に当接するように転写紙の量に応じて上昇する。
【００２２】
１２０はレジストローラで、給紙ローラ１３２またはデッキ１２４の給紙ローラ１２６により搬送される転写紙の先端と感光体ドラム１０５上に現像されたトナー像の先端とのタイミングが一致するように転写紙を感光体ドラム１０５へ搬送する。
【００２３】
１２１は搬送ベルトで、トナー像が転写された転写紙を定着器１２２まで搬送する。１２２は定着器で、定着ローラ１４４により転写紙に加圧および加熱することによりトナー像を転写紙に定着させる。１２３は排出ローラで、トナー像が定着された転写紙を排紙する。１２７は排紙フラッパで、排出ローラ１２３から送り出された転写紙の搬送経路を両面記録側ないし多重記録側と排出側（ソータ２５０）のいずれかに切り替える。ここで、両面記録ないし多重記録が設定されている場合は、排出ローラ１２３から送り出された転写紙の搬送経路を両面記録側ないし多重記録側に切り替える。
【００２４】
１２８は下搬送パスで、排出ローラ１２３から送り出された転写紙を反転パス１２９を介し、転写紙を裏返して再給紙トレイ１３０に導く。１３１は多重フラッパで、両面記録と多重記録の搬送経路を切り替えるものであり、これを左方向に倒す事により反転パスを経由させずに転写紙を直接下搬送パス１２８に導くことができる。１３０は再給紙トレイで、下搬送パス１２８から搬送されてくる転写紙をいったん格納する。
【００２５】
給紙ローラ１３２は経路１３３を通じて転写紙を感光体ドラム１０５側に給紙する。１３４は排紙ローラで、排紙フラッパ１２７の近傍に配置されて該排紙フラッパ１２７により排出側に切り替えられた転写紙を機外に排出する排出ローラである。
【００２６】
以下、各部の動作について説明する。
【００２７】
モータ１０４により露光ランプ１０３および走査ミラーを駆動して、原稿載置台１０１に載置された原稿を走査しつつ露光ランプ１０３で原稿を照明し、原稿からの反射光を走査ミラー１４５とレンズ１４３により感光体ドラム１０５に照射する。
【００２８】
感光体ドラム１０５はメインモータ１１３により図１に示す矢印の方向に回転されるものであり、この時１次帯電器１０６により感光体ドラム１０５の表面はコロナ帯電させられており、光学系１０２から原稿の反射光が照射されると感光体ドラム１０５の表面に静電潜像が形成される。この静電潜像は、現像器１０９により現像されてトナー像として可視化される。
【００２９】
一方、上段カセット１１４あるいは下段カセット１１５からピックアップローラ１１６、１１７を介し、給紙ローラ１１８、１１９により本体１００内に送られた転写紙が、レジストローラ１２０によりトナー像の先端と転写紙の先端とが一致するようにタイミングがとられた後、感光体ドラム１０５に給送され、転写帯電器１１０によりトナー像が転写される。
【００３０】
転写紙にトナー像が転写された後、転写紙は分離帯電器１１１により感光体ドラム１０５から分離され、搬送ベルト１２１により定着器１２２に導かれて加圧、加熱によりトナー像が転写紙上に定着される。その後、排出ローラ１２３により排出される。また、クリーニング装置１１２により、感光体ドラム１０５の表面が清掃される。
【００３１】
両面記録（両面複写）や多重記録（多重複写）時には、排紙フラッパ１２７を上方に上げて、複写済みの転写紙を反転パス１２９、搬送パス１２８を介して両面記録時には既に画像が記録された面が上にくるように、多重記録時には既に画像が記録された面が下にくるように再給紙トレイ１３０に格納する。このとき、両面記録時には多重フラッパ１３１を図中右方向へ倒し、また多重記録時には該多重フラッパ１３１を図中左方向へ倒しておく。
【００３２】
次に行う裏面記録時や多重記録時には、再給紙トレイ１３０に格納されている転写紙が、下から１枚ずつ給紙ローラ１３２により経路１３３を介して本体のレジストローラ１２０に導かれる。本体１００から転写紙を反転して排出する時には、排紙フラッパ１２７を図中上方に上げ、多重フラッパ１３１を図中右方向へ倒し、複写済みの転写紙を搬送パス１２９側へ搬送し、転写紙の後端が第１の送りローラ１４０を通過した後に反転ローラ１４２によって第２の送りローラ１４１側へ搬送し、排出ローラ１３４によって、転写紙を裏返して機外へ排出する。
【００３３】
[ブロック図]
図２は、本発明の一実施形態を示す画像形成装置を制御する制御系の一例を説明するブロック図である。
【００３４】
図において、１０００は図１の本体１００を表す。２３０は制御回路（コントローラ）で、ＣＰＵ２３０ａ、ＲＯＭ２３０ｂ、ＲＡＭ２３０ｃ、不揮発性メモリ２３０ｄ等から構成され、ＣＰＵ２３０ａがＲＯＭ２３０ｂに格納された制御プログラムに基づいて複写シーケンスを総括制御する。ＲＡＭ２３０ｃはＣＰＵ２３０ａのワークエリア等に使用される。
【００３５】
不揮発性メモリ２３０ｄは、ハードディスク、フラッシュメモリ、ＥＥＰＲＯＭ、ＥＰＲＯＭ等から構成され、音声認識、および音声合成に必要なプログラムおよびデータが記憶されている。
【００３６】
２１８は操作部で、コピーモード（片面・両面・多重モード、複写倍率、カセット選択等）設定キー、複写枚数等を設定するテンキー、複写動作開始を指示するスタートキー、複写動作停止を指示するストップキー、動作モードを標準状態に復帰させるリセットキー等のキー入力部及び動作モードの設定状態等を表示するＬＥＤ・液晶等の表示部が配置されている。なお、詳細は後述する図３で説明する。
【００３７】
２０１はアナログ／デジタル（Ａ／Ｄ）変換部で、サーミスタ２０２により検出された定着ローラ１４４の表面温度を表すアナログ信号をデジタル信号に変換し、該変換されたデジタル値をコントローラ２３０に入力する。なお、コントローラ２３０は、サーミスタ２０２の検出値により、定着ローラ１４４の表面温度が所定値になるように制御している。
【００３８】
２０３は高圧制御部で、１次帯電器１０６、転写帯電器１１０等の帯電系及び現像器１０９等に所定の電位を印加する高圧ユニット２０４の制御を行う。２０５はモータ制御部で、各種ステッピングモータ、メイン駆動モータ等のモータの駆動を制御する。
【００３９】
２０７はＤＣ負荷制御部で、ピックアップローラ１１６用等の図示しないソレノイド、レジストローラ１２０用等のクラッチ及びファン等の駆動を制御する。
２０８はセンサ類で、転写紙の紙詰まり検知用等の各種センサにより構成され、これらセンサの検知結果はコントローラ２３０に入力される。
【００４０】
マイク３１２は、音声の入力を検出する。ゲインコントロール（Ｇａｉｎコントロール）２１２は、マイク３１２から入力される音声を音声認識に最適な音量に調整する。Ａ／Ｄ変換部２１３は、アナログ信号をデジタル信号に変換するものであり、ゲインコントロール２１２から入力される音声をＡ／Ｄ変換する。該変換された値がコントローラ２３０に入力され、コントローラ２３０で音声認識が行われる。
【００４１】
コントローラ２３０で音声合成された音声データはデジタル／アナログ（Ｄ／Ａ）変換部２１９においてデジタル信号をアナログ信号に変換され、該変換された値がスピーカー２２０より出力される。
【００４２】
２１４はＡＣドライバで、図１に示した原稿照明ランプ１０３等のＡＣ負荷２０９及び定着ヒータ２１０へのＡＣ電源供給を制御するとともに、原稿照明ランプ１０３、定着ヒータ２１０等の異常を検出し、シャットオフ機能付きのメインスイッチ（ＭＳＷ）２１５をオフ状態にする。さらに、コントローラ２３０の制御により、メインスイッチ２１５前後のＡＣ入力が切り替えられて電源２１７に入力される。
【００４３】
２１７は電源で、コントローラ２３０等にＤＣ電源の供給を行っている。また、ＡＣドライバ２１４からのＡＣ電源が入力されると共に、入力電源プラグ２１１から、メインスイッチ（ＭＳＷ）２１５、ドアスイッチ（ＤＳＷ）２１６を介してＡＣ電源が入力される。
【００４４】
ペーパーデッキ１２４は、転写紙の収納枚数を増加させるための給紙装置であり、フィーダ２００は、複数枚の原稿を自動的にセットするための自動原稿送り装置、ソータ２５０は、排出される転写紙を仕分けするための仕分け装置である。
【００４５】
ファクシミリ部２２１は、電話回線を介して受信した圧縮画像データを伸長して、伸長された画像データをコントローラ２３０へ転送、およびコントローラ２３０から転送された画像データを圧縮して、圧縮された圧縮画像データは電話回線を介して送信する。なお、ファクシミリ部２２１により受信した圧縮画像データは、不揮発メモリ２３０ｄに一時的に保存することができる。
【００４６】
コンピュータインタフェース部２２３は、ネットワーク２２６を介してパーソナルコンピュータ又はワークステーション（ＰＣ／ＷＳ）２２４、またはスキャナまたはネットワークスキャナ２２５とコントローラ２３０とを接続するインターフェイスであり、ＰＣ／ＷＳｌ１０から転送された画像を表すコードデータ（画像データ、ＰＤＬ（Ｐａｇｅ  Ｄｅｓｃｒｉｐｔｉｏｎ  Ｌａｎｇｕａｇｅ、ページ記述言語）データ）と、スキャナまたはネットワークスキャナ２２５から転送される所定の通信媒体-例えばネットワーク、セントロニクスケーブル、２３２Ｃケーブル等を介して受信した画像データを展開してコントローラ２３０を介して不揮発性メモリ２３０ｄに記憶する。
【００４７】
なお、図示はしないが、ＰＣ／ＷＳ１１０は、各種情報を表示する表示部、使用者からの入力を受け付けるキーボード及びポインティングデバイス、ＣＰＵ、ＲＡＭ、ＲＯＭ、ネットワークインタフェース等を有している。又、ネットワークスキャナ２２５は、原稿画像を読み取る読み取り部、使用者からの入力を受け付ける操作パネル、各種情報を表示する表示部、ＣＰＵ、ＲＡＭ、ＲＯＭ、ネットワークインタフェースを有する。
【００４８】
〔操作部の説明〕
図３は、図２に示した操作部２１８の構成の一例を説明する平面図である。
【００４９】
図において、３００はコピースタートキーで、複写動作を開始させる時に押下する。３０１はストップキーで、コピーをストップ（中止、中断）するときに押下する。３０２はクリアキーで、入力された数値をクリアするときに押下する。
【００５０】
３０３はＩＤキーで、このＩＤキー３０３により特定の操作者に対して複写動作を可能にし、ＩＤキーによりＩＤを入力しない限り複写動作を禁止することが可能となる。
【００５１】
３０４はガイドキーで、複写装置１００、ＲＤＦ２００、ソータ２５０等が有する各機能の説明を必要とするときに押下する。３０５はオペレータメモリキーで、複写装置１００、ＲＤＦ２００、ソータ２５０等の仕様や状態などを設定するときに押下する。オペレータモード内には、所望の機能をキーに割り当てる機能設定（２種類）、仕様設定、タイマ設定、調整／クリーニング設定がある。
【００５２】
３０６は割り込みキーで、コピー中に割り込んで別のコピーを行いたいときに押下する。３０７は予熱キーで、電力消費を少なくする予熱モードに移行したいときや、予熱モードから復帰したいときに押下する。３０８はリセットキーで、複写モードを標準複写モードに戻したいときに押下する。３０９はテンキー群で、数値の入力、例えば倍率の設定、コピー部数等の入力等に使用する。
【００５３】
３１０は液晶表示操作部で、タッチパネルディスプレイにより構成され、複写装置１００、ＲＤＦ２００、ソータ２５０等の状態や、複写モードの設定状況を表示し、表示されたソフトキーをタッチすることにより、この表示される画面が変化、遷移し、複写モードの設定操作等を行えるようになっている。３１１は音声入力キーで、このキーを押下することによりマイク３１２の入力を可能にする。３１３はスピーカーで音声ガイダンスやユーザが発声した音声を確認するための音声出力が行われる。
【００５４】
[標準画面]
図４は、図３に示した液晶表示操作部３１０に表示される標準画面の一例を示す模式図である。
【００５５】
操作部上部にはコピー４０１、送信４０２、ボックス４０３のように複数の機能ごとにボタン表示されている。図４はコピー４０１が押下されたときのコピー機能の初期画面を表している。
【００５６】
４０４は状態表示欄で、複写装置１００、ＲＤＦ２００、ソータ２４０等の状態、設定されている置数、設定されている倍率、指定した用紙サイズ等が表示される。
【００５７】
４０５は等倍キーで原稿と同じサイズでコピーするときに押下する。
【００５８】
４０６は倍率キーで出力サイズを原稿サイズよりも縮小/拡大したいときに押下する。
【００５９】
４０７は用紙選択キーで用紙のサイズや種類、給紙位置を選択するときに押下する。
【００６０】
４０８、４０９、４１０は濃度キーでコピー濃度を手動で調整するときに４０８薄くキーまたは５１０濃くキーを押下する。自動濃度調整を設定、または解除するときは４０９自動キーを押下する。
【００６１】
４１１はソータキーで、ソータ２４０の出力形態（ノンソート、ソート、グループソートなど）ステイプル位置の設定などを行うときに押下する。
【００６２】
４１２は両面キーで、片面/両面の原稿やブック原稿を用紙の表裏に、また両面原稿を片面にコピーする際に押下する。
【００６３】
４１３は画質キーで、画質（文字のみの原稿、文字/写真混在の原稿、写真のみの原稿など）を選択してコピーするときに押下する。
【００６４】
４１４は割り込みキーで、コピー中に割り込んでコピーを行いたいときに押下する。
【００６５】
４１５、４１６はお好みキーで、コピー基本画面上の倍率、ソータ、両面の各モードキーや応用モード画面上の各モードキーの中から任意のキーを２個まで登録することができる。使用することが多い機能を登録することにより階層をたどらなくても設定画面に飛ぶことが可能になる。
【００６６】
本実施例では設定した機能を登録できるモードメモリ、原稿サイズと出力サイズより自動的に倍率を決定する自動変倍が登録されているものとする。
【００６７】
４１７は応用モードキーで複写装置が有する種々の機能を行うときに押下するものであり、応用モードキー４１７を押下すると応用モード画面（図５）が表示される。
【００６８】
４１８はステータス行で、複写装置１００のステータスを表示する領域であり、例えばジャムなどのアラームメッセージやＰＤＬプリントが行われているときにＰＤＬプリント中であることを示すステータスメッセージを表示する領域である。
【００６９】
４１９は音声名称設定キーで、ユーザが音声認識で使用する語彙を追加や確認、削除を行う場合に押下する。
【００７０】
４２０はシステム状況/中止キーで複写装置１００のデバイス情報を表示する画面やプリントジョブ状況の確認や順番を変更したり、中止したりするときに押下する。（図示しない）
４０２は送信キーで、複写装置１００で読み取った画像をネットワーク２２６上の機器にＥ−ｍａｉｌ送信、ＦＴＰ送信する。またはＦＡＸにより電話回線を使って送信するための設定画面を表示する。（図示しない）
４０３はボックスキーで、複写装置１００で読み取った画像を不揮発性メモリ２３０ｄのハードディスク内のボックス領域に保存したり、ボックス領域に保存されている画像データを指定して印刷したり、ネットワーク２２６上の機器に送信するための設定画面を表示する。（図示せず）図４は標準画面（基本画面）で、電源投入時、図３に示したリセットキー３０８押下後、コピー動作終了後等の標準状態における液晶表示操作部３１０に表示される画面である。４０１は状態表示欄で、複写装置１００、ＲＤＦ２００、ソータ２４０等の状態、設定されている置数、設定されている倍率、指定した用紙サイズ等が表示される。
【００７１】
[モードメモリ登録方法]
図４、図９〜図１３を用いて、モードメモリに機能を登録する方法について説明を行う。
【００７２】
両面から両面／左右開きから上下開き、ステイプルソート、１５部という設定がよく使われる機能である場合を例に本実施例の説明を行う。
【００７３】
図４の標準画面の両面キー４１６を押下する。押下すると設定画面（図９）がオープンする。図９は両面の種類の選択画面である。９０１は片面から両面キーで、２枚の片面原稿を１枚の用紙の両面にコピーしたい場合に押下する。９０２は両面から両面キーでＲＤＦ２００にセットされた両面原稿の表裏を１枚の用紙の表裏にコピーしたい場合に押下する。９０３は両面から片面キーでＲＤＦ２００にセットされた両面現行の表裏を別々の用紙に片面コピーしたい場合に押下する。９０４はページ連写両面キーで本などの見開き原稿の左右ページを１枚の用紙の表裏に両面コピーしたい場合に押下する。９０５は詳細設定キーで片面から両面キー９０１、両面から両面キー９０２、両面から片面キー９０３が選択されている際に押下可能になるキーで、原稿が両面の場合は原稿が左右開きなのか上下開きなのか、出力が両面の場合は出力を左右開きにするのか上下開きにするのか設定を行うことができる。９０６は設定取消キーで両面機能の設定を取り消したい場合に押下する。９０７はＯＫキーで両面機能の設定を確定する場合に押下する。
【００７４】
本実施例では両面から両面を設定するため、９０２の両面から両面キーを押下する。そして、左右開きから上下開きを設定するため、９０５の詳細設定キーを押下する。
【００７５】
押下すると図１０の両面詳細設定画面がオープンする。両面原稿の種類と両面コピー出力の種類を選択する画面である。１００１は原稿左右開きキーで原稿が左右開きの場合に押下する。１００２は原稿上下開きキーで原稿が上下開きの場合に押下する。１００３はコピー左右開きキーで、コピーを左右開きに出力したい場合に押下する。１００４はコピー上下開きキーでコピーを上下開きに出力したい場合に押下する。１００５は閉じるキーで選択された詳細を登録するためのキーである。
【００７６】
本実施例では左右開きから上下開きを設定するため、原稿左右開きキー１００１とコピー上下開きキー１００４を押下し、閉じる１００５キーを押下すると左右開きから上下開きが設定され、図９の両面種類の選択画面に戻る。両面機能についての設定は完了しているためＯＫキー９０７を押下し、両面機能の設定を終了させる。設定が終了すると図４の標準画面に戻る。設定されている機能は反転される。（図１２）
次にソータの設定を行うため図４ソータキー４１１を押下すると図１１ソータの種類選択画面がオープンする。１１０１はソートキーで複数枚の原稿をコピーする場合に自動的に丁合いしたい場合に押下する。１１０２はグループキーで複数マイの原稿をコピーする場合にページごとに仕分けをする場合に押下する。１１０３はステイプルソートキーで複数マイの原稿をコピーする場合に自動的に丁合いしコピー終了後にステイプル（ホチキス止め）したい場合に押下する。１１０４はシフトキーで、ソート機能、グループ機能を使ってコピーするときに出力した用紙をまとめてシフトさせて仕分けする場合に押下する。１１０５は排紙面指定キーで出力される用紙の印字面向きを設定する場合に押下する。１１０６は設定取消キーでソータ機能の設定を取り消したい場合に押下する。１１０７はＯＫキーでソータ機能の設定を確定する場合に押下する。
【００７７】
本実施例ではステイプルソートを設定するため、ステイプルソートキー１１０３を押下し、ＯＫキー１１０７を押下して設定を確定する。設定が終了すると図４の標準画面に戻る。設定されている機能は反転される。（図１２）
最後に部数の設定を行う。図４の標準画面よりテンキーで「１」「５」を入力すると１５部が設定される。図１２は全ての設定が完了した際の標準画面である。
【００７８】
ここまでで両面から両面／左右開きから上下開き、ステイプルソート、１５部の設定が完了したので、次にモードメモリの登録方法について説明を行う。
【００７９】
図１２のモードメモリ４１５キーを押下するとモードメモリ設定画面が表示される。
【００８０】
図１３を用いてモードメモリ設定について説明を行う。
【００８１】
図１３（ａ）はモードメモリ登録画面である。Ｍ１〜Ｍ９のキーの９通り機能を登録することができる。本実施例では９つのキーのうちＭ１を押下した場合について説明を行う。Ｍ１のキーを押下するとキーが反転し、登録キー、名称登録キーが押下可能になる。（図１３（ｂ））押下可能になった登録キーを押下すると図１３（ｃ）が表示され、登録を行う機能の確認画面が表示される。はいキーを押下すると図１３（ｄ）が表示され、Ｍ１に正しく登録されたことを表す。次に名称登録キーを押下すると図１３（ｅ）キーボード画面が表示される。現在表示されているＭ１に対し名称を設定することが可能になる。入力が完了した際にＯＫキーを押下すると図１３（ｆ）が表示され、「format１」が名称に設定されていることを確認できる。
【００８２】
[音声名称設定方法]
図４〜図７、図１３を用いて先ほど登録したモードメモリＭ１（format１）に音声名称を設定する方法について説明を行う。
【００８３】
図１３（ｇ）において音声名称設定キー４１９を押下し、音声名称設定モードに入る。音声名称設定モードに入ると音声名称設定キー４１９は反転し現在音声名称設定モードに入っていることを表す。次に名称設定を行いたいキーを押下する。ここではモードメモリ１に名称を割り当てるためformat１と名称をつけられたキーを押下する。
【００８４】
押下すると図５の名称設定画面が表示される。５０１は登録名称表示画面でモードメモリ１に登録されている名称が表示される。５０２は消去禁止アイコンで、プリセットされている名称を表している。５０３、５０４はページめくりキーで複数の語彙が登録されており、表示が複数ページにわたる場合に押下可能になる。５０５は追加キーで名称を追加したい場合に押下する。５０６は詳細/編集キーで、現在選択されている名称のアクセントを変更したい場合に押下する。５０７は消去キーで現在選択されている名称を消去したい場合に押下する。プリセット以外の名称が選択されている際に押下可能となる。
【００８５】
５０８は設定取消キーで、名称設定を取り止めたい場合に押下する。５０９は戻るキーで設定を反映させずに前の画面に戻る場合に押下する。５１０はＯＫキーで設定を反映させて前の画面に戻る場合に押下する。
【００８６】
ここで、追加キー５０５を押下した場合の動きについて説明する。
【００８７】
押下すると図６の名称登録画面が表示される。６０１は名称入力画面で入力した名称を視覚的に確認することができる。６０２はソフトキーボード群で、キー入力により名称を入力する。６０３はキャンセルキーで名称登録をキャンセルしたい場合に押下する。６０４はアクセント設定キーで入力された名称のアクセント確認、アクセント変更を行う場合に押下する。６０５はＯＫキーで入力したもので正しければＯＫキーを押下する。このキーを押下すると、入力した文字列と名称登録を行いたいキー（ここではモードメモリ１）の認識ＩＤ、設定したアクセントが不揮発性メモリ２３０ｄに記憶される。
【００８８】
本実施例ではモードメモリ１に「いつもの」という名称を登録する場合について説明する。ソフトキーボードより「イツモノ」と名称を入力する。正しく登録されているかどうか確認する場合やアクセントの変更を行う場合はアクセント設定キー６０４を押下する。
【００８９】
アクセント設定キー６０４を押下した際の画面を、図７のアクセント設定画面に示す。
【００９０】
７０１はアクセント変更キー郡で、図６で入力した文字列が表示される。キーがあがっている箇所にアクセントがついている。アクセントを変更する場合は、このキー群を操作する。７０２は音声確認キーで設定したアクセントにより読み上げを行う。このキーを押下すると、現在入力されているテキスト文と設定されているアクセントに基づいてデジタル音声データが生成される。生成されたデジタル音声データはＤ／Ａ変換部２１９よりアナログ音声データに変換されスピーカー２２０より出力される。
【００９１】
７０３はキャンセルキーで名称登録をキャンセルしたい場合に押下する。７０４は戻るキーで設定を反映させずに図６の名称登録画面に戻る場合に押下する。７０５はＯＫキーで設定を反映させ図６の名称登録画面に戻る場合に押下する。
【００９２】
図７の７０５ＯＫキーを押下すると図６の名称設定画面に戻り、登録した名称が表示される。（図示しない）ＯＫキー６１０を押下すると、図４で発声可能な文言ですでに登録されている場合や似た名称がすでに登録されているかどうかのチェックが行われる。ＮＧである場合はエラー画面が表示される。（図示しない）ＯＫである場合は追加登録が完了する。
【００９３】
図１６のフローチャートを用いて上記について詳細に説明を行う。（（）内は図１６のステップを表す）
まず音声名称設定モードが選択されたか否か判断する（Ｓ１６０１）。音声名称設定モードに入っていない場合は待機を行う。音声名称設定モードが選択された場合は音声名称設定モードを起動する（Ｓ１６０２）。次に一定時間内に機能選択があるかどうか判断する（Ｓ１６０３）。一定時間に機能選択がなかった場合はユーザにタイムアウト通知を行ない（Ｓ１６０４）、音声名称設定モードを抜け（Ｓ１６０５）待機を行う。一定時間内に機能選択があった場合は、選択された機能名称に割り当てられている音声名称を取得し音声名称設定画面を表示する（Ｓ１６０６）。次に一定時間内に入力があったかどうか判断し（Ｓ１６０７）、入力がなかった場合は（Ｓ１６０４）のステップを行う。一定時間に入力があった場合は名称の選択か追加の選択かを判断する（Ｓ１６０８）。名称の選択である場合は、選択された名称がプリセット名称か否か判断する（Ｓ１６０９）。プリセット名称である場合は、削除が禁止されているため削除キーは選択不可のままで編集キーを選択可能にする（Ｓ１６１０）。プリセット名称でない場合は、削除キーと編集キーを選択可能にする（Ｓ１６１１）。次に一定時間内に入力があったかどうか判断し（Ｓ１６１２）、入力がなかった場合は（Ｓ１６０４）のステップを行う。一定時間に入力が合った場合は名称か追加か編集か削除か判断を行う（Ｓ１６１３）。名称が選択された場合は（Ｓ１６０９）のステップを行う。追加である場合は後述の（Ｓ１６１８）のステップを行う。編集である場合はアクセント編集画面を表示する（Ｓ１６１４）。入力が完了したか否か判断し（Ｓ１６１５）、完了した場合は編集されたアクセントを登録する。（Ｓ１６１３）において削除が選択された場合は選択された名称を削除する。
【００９４】
（Ｓ１６０８）のステップにおいて追加が選択された場合、名称入力画面を表示する（Ｓ１６１８）。次に入力が確定したか否か判断し（Ｓ１６１９）、入力が確定した場合は名称チェックを行う（Ｓ１６２０）。名称チェックでは入力された名称が結び付けられている機能名が使用されている画面を検索する。検索された画面内で使用されている語彙と入力した名称が同じかどうか、もしくは似ているかどうかの判断を行う。すでに登録されている名称と同じ場合、もしくは似ている場合はＮＧと判断されユーザに対しＮＧの通知と名称の再入力要求を行う（Ｓ１６２３）。すでに登録されている名称と同じでない、かつ似ていない場合はＯＫと判断され、名称が登録される（Ｓ１６２２）。登録される場合機能名が使用されている全ての画面に対し名称が追加登録される。ユーザによる終了が選択されたか否か判断し（Ｓ１６２４）、終了していない場合は、再度（Ｓ１６０６）のステップに戻る。終了が選択された場合は音声名称設定モードを抜け（Ｓ１６２５）、最初の画面に戻る。
【００９５】
[音声認識方法]
次に図８、図１４を用いて音声により設定を復元する手法について説明を行う。
【００９６】
図８は本発明に係る画像形成装置における音声認識処理手順の一例を説明するフローチャートであり、図２に示したＲＯＭ２３０ｂに格納される制御プログラムに基づいてＣＰＵ２３０ａにより実行される処理に対応する。なお、（８０１）〜（８０７）は各ステップを示す。
【００９７】
まず、液晶表示操作部３１０に図１４（ａ）に示した標準画面を表示させ（８０１）、図３に示した音声入力キー３１１が押下されたかどうかを判断し（８０２）、音声入力キー３１１が押下されていないと判断した場合は、ステップ（８０２）に戻り、音声入力キー３１１が押下されていると判断した場合は、ステップ（８０３）に進む。この際液晶表示操作部３１０に図１４（ｂ）に示した画面が表示される。１４２０は音声認識中モードであることをユーザに知らせるためのステータス行である。
【００９８】
ステップ（８０３）では、音声入力キー３１１が押下されている間にマイク３１２から入力される音声がゲインコントロール回路２１２、Ａ／Ｄ変換部２１３を介して制御回路２３０に入力される。
【００９９】
ステップ（８０４）では、ステップ（８０３）において入力される音声と図２に示した不揮発性メモリ２３０ｄに登録名称と対応付けて登録される名称から生成される表音記号と入力された音声データから生成される表音記号から尤度を計算する。
【０１００】
次に、ステップ（８０５）では、ステップ（８０４）において一番尤度が高かったもの名称に対する結果が閾値以上であるかどうかを判定する。
【０１０１】
閾値以上でなかった場合は、認識に失敗していると判断しステップ（８０６）を実行し再び認識待機状態に戻る。
【０１０２】
閾値以上であった場合は、ステップ（８０７）において認識結果に割り当てられている機能を実行する。この際液晶表示操作部３１０には図１４（ｃ）が表示され、１４３０に認識結果と機能割り当てが表示される。
【０１０３】
ステップ（４０６）では、ステップ（４０３）で入力された音声に対応するコピー機能を呼び出す。この際液晶表示操作部３１０には図１４（ｄ）が表示され、対応する機能が復元される。
【実施例１】
【０１０４】
先の実施例では不特定話者による音声認識の例を説明したが、声紋認証機能を持つ音声認識での実施例１について図１８のデータ図、図１５のフローチャートを用いて説明を行う。
【０１０５】
まず、音声認識モードを起動する（Ｓ１５０１）。次に図１８の共通語彙データ、Ａさんのデータ、Ｂさんのデータで認識待機する（Ｓ１５０２）。音声入力があったかどうかを判断し（Ｓ１５０３）、音声入力があった場合は声紋認証を実行する（Ｓ１５０５）。声紋認証の結果がＡさんであったかＢさんであったか登録されていないユーザであるかを判断する（Ｓ１５０５）。Ａさんであった場合はＡさんの語彙データと共通語彙データで入力された音声データに対する音声認識を行う（Ｓ１５０６）。Ｂさんであった場合はＢさんの語彙データと共通データで入力された音声データに対する音声認識を行う（Ｓ１５０７）。登録されていないユーザであった場合は共通データで入力された音声に対する音声認識を行う（Ｓ１５０８）。音声認識結果に対する認識ＩＤを取得し（Ｓ１５０９）、認識ＩＤに対する判定を行う（Ｓ１５１０）。入力された音声認識結果が終了であると判断された場合、音声認識モードを終了する（Ｓ１５１１）。入力された音声認識結果が終了以外であると判断された場合、認識ＩＤに割り当てられた処理を実行し（Ｓ１５１２）、（Ｓ１５０２）のステップに戻り、共通語彙データ、Ａさんのデータ、Ｂさんのデータで音声入力の待機を行う。
【実施例２】
【０１０６】
次に声紋認証機能を持つ音声認識での実施例２について図１９のデータ図、図１７のフローチャートを用いて説明を行う。まず、音声認識モードを起動する（Ｓ１７０１）。次に図１９の共通データ、Ａさんのデータ、Ｂさんのデータで認識待機する（Ｓ１７０２）。音声入力があったかどうかを判断し（Ｓ１７０３）、音声入力が合った場合は声紋認証を実行する（Ｓ１７０５）。声紋認証の結果がＡさんであったかＢさんであったか登録されていないユーザであるかを判断する（Ｓ１７０５）。Ａさんであった場合はＡさんの語彙データと共通語彙データで入力された音声データに対する音声認識を行う（Ｓ１７０６）。Ｂさんであった場合はＢさんの語彙データと共通データで入力された音声データに対する音声認識を行う（Ｓ１７０７）。登録されていないユーザであった場合は共通データで入力された音声に対する音声認識を行う（Ｓ１７０８）。音声認識結果に対する認識ＩＤを取得し（Ｓ１７０９）、認識ＩＤに対する判定を行う（Ｓ１７１０）。入力された音声認識結果が終了であると判断された場合、認証情報をクリアし（Ｓ１７１１）、音声認識モードを終了する（Ｓ１７１２）。入力された音声認識結果がログアウトであると判断された場合、認証情報をクリアし（Ｓ１７１３）、（Ｓ１７０２）のステップに戻り、共通語彙データ、Ａさんのデータ、Ｂさんのデータで音声入力の待機を行う。終了以外であると判断された場合、認識ＩＤに割り当てられた処理を実行し（Ｓ１７１４）、（Ｓ１７０６）（Ｓ１７０７）（Ｓ１７０８）のステップで確定した語彙データで音声入力の待機を行い（Ｓ１７１５）、音声入力があったかどうかを判断する（Ｓ１７０３）。音声入力があった場合は（Ｓ１７１６）、展開されている語彙データで音声認識を実行し（Ｓ１７１７）、（Ｓ１７０９）に戻り、認識ＩＤの判定を行う。
【０１０７】
上記実施形態においては複写装置を一例として説明しているが、プリンタまたはコピー機能、プリンタ機能、ファクシミリ機能等を有する複合複写機等において上記実施形態を適用するように構成してもよい。この場合、コピーモードだけでなく印刷モード、ファクシミリモード等の複合複写機で設定可能な処理モードを登録可能に構成し、該登録された処理モードを上述したように音声で呼び出すように構成される。
【０１０８】
また、本発明を適用可能な画像形成装置は、電子写真方式でも、インクジェット式、昇華式、熱転写式でもその他の方式でもよい。
【０１０９】
さらに、本実施形態では、画像形成装置の像形成モードと入力される音声を対応付けて登録する場合について説明したが、画像形成装置の像形成モードに限られるものではなく、その他の設定に対応する音声を登録する場合にも本発明が適用できることは言うまでもない。
【０１１０】
以上より、表示画面の大きさにより処理モードを呼び出すキーを画面に一覧表示できない場合でも複数のキー入力という煩雑な操作を行うことなく、音声を入力するという簡単な操作で処理モードを短時間で呼び出すことができ、ユーザの操作負担を格段に低減させる像形成モード設定環境を提供することができる。
【０１１１】
前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１１２】
この場合、記憶媒体から読み出されたプログラムコード自体が本発明の新規な機能を実現することになり、そのプログラムコードを記憶した記憶媒体は本発明を構成することになる。
【０１１３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＥＥＰＲＯＭ、シリコンディスク等を用いることができる。
【０１１４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１６】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１１７】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【図面の簡単な説明】
【０１１８】
【図１】本発明の一実施形態を示す画像形成装置の一例を説明する断面構成図である。
【図２】本発明の一実施形態を示す画像形成装置を制御する制御系の一例を説明するブロック図である。
【図３】操作部の構成の一例を説明する平面図である。
【図４】液晶表示操作部に表示される標準画面の一例を示す模式図である。
【図５】液晶表示操作部に表示される音声名称設定画面の一例を示す模式図である。
【図６】液晶表示操作部に表示される音声名称入力画面の一例を示す模式図である。
【図７】液晶表示操作部に表示される音声名称設定時のアクセントを変更する画面の一例を示す模式図である。
【図８】本発明に係る画像形成装置における音声登録処理手順の一例を説明するフローチャートである。
【図９】両面（片面から両面／上下開き）を設定する場合に液晶表示操作部に表示される画面遷移の一例を説明する図である。
【図１０】両面（片面から両面／上下開き）を設定する場合に液晶表示操作部に表示される画面遷移の一例を説明する図である。
【図１１】ソート（ステイプルソート）を設定する場合に液晶表示操作部に表示される画面遷移の一例を説明する図である。
【図１２】液晶表示操作部に表示される標準画面の一例を示す模式図である。
【図１３】液晶表示操作部に表示される音声による複写モード登録時の画面の一例を示す模式図である。
【図１４】両面（片面から両面／上下開き）を設定する場合に液晶表示操作部に表示される画面遷移の一例を説明する図（第１の処理プログラムを示すフローチャート）である。
【図１５】声紋認証機能を持つ音声認識での実施例１についてのフローチャートを説明する図である。
【図１６】本発明の一実施形態を示すフローチャートを説明する図である。
【図１７】声紋認証機能を持つ音声認識での実施例２についてのフローチャートを説明する図である。
【図１８】声紋認証機能を持つ音声認識での実施例１についてのデータ図である。
【図１９】声紋認証機能を持つ音声認識での実施例２についてのデータ図である。
【図１】
2007114297.tif 000003
【図２】
2007114297.tif 000004
【図３】
2007114297.tif 000005
【図４】
2007114297.tif 000006
【図５】
2007114297.tif 000007
【図６】
2007114297.tif 000008
【図７】
2007114297.tif 000009
【図８】
2007114297.tif 000010
【図９】
2007114297.tif 000011
【図１０】
2007114297.tif 000012
【図１１】
2007114297.tif 000013
【図１２】
2007114297.tif 000014
【図１３】
2007114297.tif 000015
【図１４】
2007114297.tif 000016
【図１５】
2007114297.tif 000017
【図１６】
2007114297.tif 000018
【図１７】
2007114297.tif 000019
【図１８】
2007114297.tif 000020
【図１９】
2007114297.tif 000021